【手続補正書】
【提出日】平成17年12月28日(2005.12.28)
【手続補正１】
【補正対象書類名】明細書
【補正対象項目名】特許請求の範囲
【補正方法】変更
【補正の内容】
【特許請求の範囲】
【請求項１】  稼動系システムと待機系システムよりなるクラスタコンピューティングシステムにおいて、
前記稼動系システムと前記待機系システムは、それぞれ無線通信装置を有し、
前記稼動系システムの無線通信装置は、前記稼動系システムの障害を前記待機系システムの無線通信装置との通信により報告し、
前記障害の報告は、前記稼動系システムと前記待機系システムの間を接続する有線のネットワークが全て、ネットワーク断状態になったときにおこなうことを特徴とするクラスタコンピューティングシステム。
【請求項２】  前記稼動系システムと待機系システムは、それぞれホストコンピュータと、記憶装置システムとを有し、
各々のホストコンピュータは、クラスタネットワークで接続され、
各々の記憶装置システムは、ストレージ間ネットワークで接続されていて、
前記クラスタネットワークと前記ストレージ間ネットワークが同時に、ネットワーク断状態になったときに、前記障害の報告をおこなうことを特徴とする請求項１記載のクラスタコンピューティングシステム。
【請求項３】  前記クラスタネットワークは、ＩＰネットワークであり、
前記ストレージ間ネットワークは、ＦＣ（Fiber Channel）ネットワークであることを特徴とする請求項１記載のクラスタコンピューティングシステム。
【請求項４】  前記稼動系システムの無線通信装置は、その稼動系システムの認証ＩＤを含むパケットを、前記待機系システムの無線通信装置に発信し、
前記待機系システムの無線通信装置は、その認証ＩＤを含むパケットを受信したときに、前記稼動系システムの障害であると認識して動作することを特徴とする請求項１記載のクラスタコンピューティングシステム。
【請求項５】  前記稼動系システムの無線通信装置は、ホストコンピュータから、コール指示コマンドを受けて、障害報告の通信を前記待機系システムの無線通信装置におこなうことを特徴とする請求項１記載のクラスタコンピューティングシステム。
【請求項６】  前記稼動系システムの無線通信装置は、前記稼動系システムのホストコンピュータの障害を監視し、障害を検知したときに、障害報告の通信を前記待機系システムの無線通信装置におこなうことを特徴とする請求項１記載のクラスタコンピューティングシステム。
【請求項７】  前記待機系システムの無線通信装置は、前記稼動系システムの無線通信装置より、障害報告の通信を受信したときに、前記待機系システムのホストコンピュータに、稼動処理指示コマンドを発行することを特徴とする請求項１記載のクラスタコンピューティングシステム。
【請求項８】  前記稼動系システムと前記待機系システムのそれぞれ無線通信装置は、
前記稼動系システムと前記待機系システムの各々のサイト障害に対しても、影響を受けないように隔離されたことを特徴とする請求項１記載のクラスタコンピューティングシステム。
【請求項９】  稼動系システムと待機系システムよりなるクラスタコンピューティングシステムのフェールオーバー方法において、
前記稼動系システムと前記待機系システムは、それぞれ無線通信装置を有し、
前記稼動系システムは、前記待機系システムとの間の有線のサイト間ネットワークから情報を得られなくなったときでも、システムの稼動を継続させ、
前記稼動系システムは、自らのサイトの記憶装置システムに障害を発見したときに、前記稼動系システムの無線通信装置に指示を与えて、前記待機系システムの無線通信装置に、障害を報告する通信をおこなわせ、
前記待機系システムの無線通信装置は、前記稼動系システムの無線通信装置より障害の報告を受けて、前記待機系システムのホストコンピュータに稼動処理の開始を指示することを特徴とするクラスタコンピューティングシステムのフェールオーバー方法。
【請求項１０】  稼動系システムと待機系システムよりなるクラスタコンピューティングシステムのフェールオーバー方法において、
前記稼動系システムと前記待機系システムは、それぞれ無線通信装置を有し、
前記稼動系システムの無線通信装置は、常時、前記稼動系システムの状態を検知し、
前記稼動系システムの無線通信装置が、前記稼動系システムの障害を検知し、かつ、前記待機系システムが、前記稼動系システムのサイト間の有線のネットワークにより、情報が得られなくなったときに、
前記稼動系システムの無線通信装置は、前記待機系システムの無線通信装置に障害の報告する通信をして、
前記待機系システムの無線通信装置は、前記稼動系システムの無線通信装置より障害の報告を受けて、前記待機系システムのホストコンピュータに稼動処理の開始を指示することを特徴とするクラスタコンピューティングシステムのフェールオーバー方法。
【請求項１１】  稼動系システムと待機系システムよりなるクラスタコンピューティングシステムにおいて、
前記稼動系システムと前記待機系システムは、各々、
無線通信装置と、
ホストコンピュータと、
記憶装置システムとからなり、
前記稼動系システムと前記待機系システムの無線通信装置は、各々のサイト障害に対しても影響を受けないように、障害に耐えうる容器に収められており、
前記稼動系システムと前記待機系システムのホストコンピュータは、ＩＰネットワークにより、ハートビート通信により互いの状態を報告し、
前記稼動系システムと前記待機系システムの記憶装置システムは、ＦＣネットワークにより接続され、前記稼動系システムの記憶システムのデータを前記待機系システムの記憶装置システムにリモートコピーをおこなっており、
前記稼動系システムと前記待機系システムの無線通信装置は、各々のホストコンピュータとインターフェースケーブルにより接続されており、
前記稼動系システムの無線通信装置は、前記インターフェースケーブルにより稼動系システムのホストコンピュータの状態を監視できなくなったとき、あるいは、前記稼動系システムのホストコンピュータからコール指示コマンドを受けたときに、前記待機系システムの無線通信装置をつながるまでコールして、自らの認証ＩＤを送出し、
前記待機系システムの無線通信装置は、前記稼動系システムの無線通信装置のコールを受け、送られてきた認証ＩＤが前記稼動系システムの無線通信装置からのものであると確認したときに、前記インターフェースケーブルを介して、前記待機系システムのホストコンピュータに稼動処理開始指示コマンドを発行し、
前記待機系システムのホストコンピュータは、前記稼動処理開始指示コマンドを受け、稼動処理を開始することを特徴とするクラスタコンピューティングシステム。
【手続補正２】
【補正対象書類名】明細書
【補正対象項目名】００１５
【補正方法】変更
【補正の内容】
【００１５】
ここで、図２０に示されるように、記憶装置システムＡ５１に障害が起こったときには、ホストコンピュータＡ１０が障害を検知し、サイト間を結ぶＩＰネットワーク３０を介して、ホストコンピュータＢ１１に記憶装置システムＡ５１に障害が発生したことを報告する。
【手続補正３】
【補正対象書類名】明細書
【補正対象項目名】００３８
【補正方法】変更
【補正の内容】
【００３８】
しかしながら、無線通信には、電波障害や、誤動作等による通信の不安定さが懸念事項に挙げられる。そこで、本発明において用いる無線通信は、従来のクラスタコンピューティングシステムにおける状態監視のように、常に相手サイトの状態を監視するような恒久的な接続ではなく、サイト間ネットワーク全断発生後の、稼働処理引継ぎ時においてのみ接続するように限定し、無線通信における懸念事項を最小限に抑えた通信としている。
【手続補正４】
【補正対象書類名】明細書
【補正対象項目名】００５４
【補正方法】変更
【補正の内容】
【００５４】
また、記憶装置システムＡ５１は、図３に示されるように、コントローラ５１ａ、制御メモリ５１ｂ、キャッシュメモリ５１ｃ、ＦＣインタフェース５１ｄ、通常複数のディスク装置５１ｅ、５１ｆ、５１ｇ、…を備えている。
【手続補正５】
【補正対象書類名】明細書
【補正対象項目名】００７７
【補正方法】変更
【補正の内容】
【００７７】
そして、ホストコンピュータＡ１０が、この稼動側優先運用処理時に、インタフェースケーブルＡ４０により、記憶装置システムＡ５１に障害が発生したことを検知した場合(Ｓ６０３  Ｙｅｓ)、インタフェースケーブルＡ４０自体の障害によって、記憶装置システムＡ５１の情報取得ができないような場合には、それまでおこなっていた稼動処理は続行できないため、記憶装置システム障害対応処理(Ｓ３０００Ｈ)に移る。
【手続補正６】
【補正対象書類名】明細書
【補正対象項目名】００８０
【補正方法】変更
【補正の内容】
【００８０】
無線通信装置Ａ１６０は、通常、このコマンドを待機する状態(以下、「コマンド待機状態」)となっている(Ｓ７００)。また同時に、インタフェースケーブルＡＲ１８０を介して、ホストコンピュータＡ１０の状態監視もおこなっており、インタフェースケーブルＡＲ１８０から取得するホストコンピュータＡ１０の情報を常に監視している。